(57)【要約】【課題】画像に対応する場所を地図上で簡単に確認できるようにする。【解決手段】ユーザＵ１　が携帯情報端末１１　の撮像ボタンを押すと、処理部１６は撮像部１０で撮像させた静止画像データを、現在位置検出部１１で検出された位置データ付で記憶させる。情報端末１１　で撮像した静止画像データを位置データ付で格納アドレスを指定して画像情報配信装置３宛に転送すると、画像情報配信装置３は指定格納アドレスに記憶する。ユーザＵ２　が情報端末１２　から画像情報配信装置３に格納アドレスを指定して画像要求すると、指定格納アドレスの静止画像データが位置データ付で返信され、処理部１６が静止画像を表示部１２に表示させる。地図要求操作がされると、処理部１６は通信部１３を制御し、静止画像に対応付けられた位置データを着目位置座標とした地図要求を地図情報配信装置４に発し、返信された地図情報に基づき着目位置マーク付の地図を表示させる。【選択図】　　　　図１
2004126633.tif 000002
【特許請求の範囲】
【請求項１】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
所望相手への画像格納アドレスの送信操作に従い所望相手の情報端末宛に画像格納アドレスデータを送信し、また外部の情報端末から受信された画像格納アドレスデータを記憶手段に記憶し、
画像要求操作に従い、記憶手段に記憶された画像格納アドレスデータを用いて画像情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項２】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、１または複数の画像送信機能付情報端末と、該画像送信機能付情報端末とネットワークを介して通信可能な１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
所望相手への画像格納アドレスの送信操作に従い所望相手の画像受信機能付情報端末宛に画像格納アドレスデータを送信し、
画像受信機能付情報端末は、
表示手段を備え、
外部の画像送信機能付情報端末から受信された画像格納アドレスデータを記憶手段に記憶し、
画像要求操作に従い、記憶手段に記憶された画像格納アドレスデータを用いて画像情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項３】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
所望相手への画像格納アドレスの送信操作に従い所望相手の情報端末宛に画像格納アドレスデータを送信し、また外部の情報端末から受信された画像格納アドレスデータを記憶手段に記憶し、
画像要求操作に従い、記憶手段に記憶された画像格納アドレスデータを用いて画像情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項４】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、１または複数の画像送信機能付情報端末と、該画像送信機能付情報端末とネットワークを介して通信可能な１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
所望相手への画像格納アドレスの送信操作に従い所望相手の画像受信機能付情報端末宛に画像格納アドレスデータを送信し、
画像受信機能付情報端末は、
表示手段を備え、
外部の画像送信機能付情報端末から受信された画像格納アドレスデータを記憶手段に記憶し、
画像要求操作に従い、記憶手段に記憶された画像格納アドレスデータを用いて画像情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項５】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
所望相手への画像格納アドレスの送信操作に従い所望相手の情報端末宛に画像格納アドレスデータを送信し、また外部の情報端末から受信された画像格納アドレスデータを記憶手段に記憶し、
画像要求操作に従い、記憶手段に記憶された画像格納アドレスデータを用いて画像情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項６】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、１または複数の画像送信機能付情報端末と、該画像送信機能付情報端末とネットワークを介して通信可能な１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
所望相手への画像格納アドレスの送信操作に従い所望相手の画像受信機能付情報端末宛に画像格納アドレスデータを送信し、
画像受信機能付情報端末は、
表示手段を備え、
外部の画像送信機能付情報端末から受信された画像格納アドレスデータを記憶手段に記憶し、
画像要求操作に従い、記憶手段に記憶された画像格納アドレスデータを用いて画像情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項７】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
画像要求操作に従い、画像格納アドレスを指定して画像情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項８】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、１または複数の画像送信機能付情報端末と１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
画像受信機能付情報端末は、
表示手段を備え、
画像要求操作に従い、画像格納アドレスを指定して画像情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項９】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
画像要求操作に従い、画像格納アドレスを指定して画像情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項１０】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、１または複数の画像送信機能付情報端末と１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
画像受信機能付情報端末は、
表示手段を備え、
画像要求操作に従い、画像格納アドレスを指定して画像情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項１１】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
画像要求操作に従い、画像格納アドレスを指定して画像情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項１２】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、
情報端末は、１または複数の画像送信機能付情報端末と１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で画像情報配信装置の所望画像格納アドレスに転送させ、
画像受信機能付情報端末は、
表示手段を備え、
画像要求操作に従い、画像格納アドレスを指定して画像情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項１３】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
所望相手への画像格納アドレスの送信操作に従い所望相手の情報端末宛に画像格納アドレスデータを送信し、また外部の情報端末から受信された画像格納アドレスデータを記憶手段に記憶し、
画像要求操作に従い、記憶手段に記憶された画像格納アドレスデータを用いて地図情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項１４】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、１または複数の画像送信機能付情報端末と、該画像送信機能付情報端末とネットワークを介して通信可能な１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
所望相手への画像格納アドレスの送信操作に従い所望相手の画像受信機能付情報端末宛に画像格納アドレスデータを送信し、
画像受信機能付情報端末は、
表示手段を備え、
外部の画像送信機能付情報端末から受信された画像格納アドレスデータを記憶手段に記憶し、
画像要求操作に従い、記憶手段に記憶された画像格納アドレスデータを用いて地図情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項１５】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
所望相手への画像格納アドレスの送信操作に従い所望相手の情報端末宛に画像格納アドレスデータを送信し、また外部の情報端末から受信された画像格納アドレスデータを記憶手段に記憶し、
画像要求操作に従い、記憶手段に記憶された画像格納アドレスデータを用いて地図情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項１６】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、１または複数の画像送信機能付情報端末と、該画像送信機能付情報端末とネットワークを介して通信可能な１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
所望相手への画像格納アドレスの送信操作に従い所望相手の画像受信機能付情報端末宛に画像格納アドレスデータを送信し、
画像受信機能付情報端末は、
表示手段を備え、
外部の画像送信機能付情報端末から受信された画像格納アドレスデータを記憶手段に記憶し、
画像要求操作に従い、記憶手段に記憶された画像格納アドレスデータを用いて地図情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項１７】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
所望相手への画像格納アドレスの送信操作に従い所望相手の情報端末宛に画像格納アドレスデータを送信し、また外部の情報端末から受信された画像格納アドレスデータを記憶手段に記憶し、
画像要求操作に従い、記憶手段に記憶された画像格納アドレスデータを用いて地図情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項１８】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、１または複数の画像送信機能付情報端末と、該画像送信機能付情報端末とネットワークを介して通信可能な１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
所望相手への画像格納アドレスの送信操作に従い所望相手の画像受信機能付情報端末宛に画像格納アドレスデータを送信し、
画像受信機能付情報端末は、
表示手段を備え、
外部の画像送信機能付情報端末から受信された画像格納アドレスデータを記憶手段に記憶し、
画像要求操作に従い、記憶手段に記憶された画像格納アドレスデータを用いて地図情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項１９】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
画像要求操作に従い、画像格納アドレスを指定して地図情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項２０】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、１または複数の画像送信機能付情報端末と１または複数の画像受信機能付情報端末を含み、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
画像受信機能付情報端末は、
表示手段を備え、
画像要求操作に従い、画像格納アドレスを指定して地図情報配信装置宛に画像要求を発し、返信された撮像画像データと対応する位置データに基づき撮像画像を表示させ、
更に地図要求操作がされると、表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項２１】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
画像要求操作に従い、画像格納アドレスを指定して地図情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項２２】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、１または複数の画像送信機能付情報端末と１または複数の画像受信機能付情報端末を備え、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
画像受信機能付情報端末は、
表示手段を備え、
画像要求操作に従い、画像格納アドレスを指定して地図情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、
地図情報が受信されると、着目位置マーク付の地図または該地図と撮像画像を表示させるようにしたこと、
を特徴とする地図情報配信方法。
【請求項２３】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、
表示手段、現在位置を検出する現在位置検出手段、撮像指示に従い静止画または動画を撮像する撮像手段を備え、
撮像手段で撮像した撮像画像データを、撮像時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
画像要求操作に従い、画像格納アドレスを指定して地図情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項２４】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信するようにし、
情報端末は、１または複数の画像送信機能付情報端末と１または複数の画像受信機能付情報端末を備え、
画像送信機能付情報端末は、
現在位置を検出する現在位置検出手段、撮像指示に従い静止画または動画を撮像する撮像手段を備え、
撮像手段で撮像した撮像画像データを、撮像した時点または位置登録が指示された時点で現在位置検出手段により検出された位置データを対応付けて記憶手段に記憶しておき、
撮像画像データの転送操作に従い記憶手段に記憶された所望の撮像画像データを対応する位置データ付で地図情報配信装置の所望画像格納アドレスに転送させ、
画像受信機能付情報端末は、
表示手段を備え、
画像要求操作に従い、画像格納アドレスを指定して地図情報配信装置宛に画像要求を発し、返信された撮像画像データと対応する位置データを記憶手段に記憶するとともに、返信された位置データを着目位置座標とする地図要求を地図情報配信装置宛に発し、
地図情報が受信されると、該地図情報と先に返信された撮像画像データを用いて着目位置マーク付の地図と撮像画像を表示させるようにしたこと、
を特徴とする地図情報配信方法。
【請求項２５】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
画像格納アドレス別に画像データを対応する位置データ付で記憶しておき、ネットワークを介して外部の情報端末から画像格納アドレスを指定して画像要求を受けると、当該画像格納アドレスに記憶した画像データを対応する位置データ付で要求元に返信する画像情報配信装置を設け、
情報端末は、
表示手段を備え、
画像要求操作に従い、画像格納アドレスを指定して画像情報配信装置宛に画像要求を発し、返信された画像データと対応する位置データに基づき画像を表示させ、
更に地図要求操作がされると、表示された画像に対応付けられた位置データを着目位置座標とする地図要求を地図情報配信装置宛に発し、
地図情報が受信されると、着目位置マーク付の地図または該地図と画像を表示させるようにしたこと、
を特徴とする地図情報配信方法。
【請求項２６】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
画像格納アドレス別に画像データを対応する位置データ付で記憶しておき、ネットワークを介して外部の情報端末から画像格納アドレスを指定して画像要求を受けると、当該画像格納アドレスに記憶した画像データを対応する位置データ付で要求元に返信する画像情報配信装置を設け、
情報端末は、
表示手段を備え、
画像要求操作に従い、画像格納アドレスを指定して画像情報配信装置宛に画像要求を発し、返信された画像データと対応する位置データに基づき画像を表示させ、更に表示された画像に対応付けられた位置データを着目位置座標とする地図要求を地図情報配信装置宛に発し、
地図情報が受信されると、着目位置マーク付の地図または該地図と画像を表示させるようにしたこと、
を特徴とする地図情報配信方法。
【請求項２７】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
画像格納アドレス別に画像データを対応する位置データ付で記憶しておき、ネットワークを介して外部の情報端末から画像格納アドレスを指定して画像要求を受けると、当該画像格納アドレスに記憶した画像データを対応する位置データ付で要求元に返信する画像情報配信装置を設け、
情報端末は、
表示手段を備え、
画像要求操作に従い、画像格納アドレスを指定して画像情報配信装置宛に画像要求を発し、返信された画像データと対応する位置データを記憶手段に記憶するとともに、返信された位置データを着目位置座標とする地図要求を地図情報配信装置宛に発し、
地図情報が受信されると、該地図情報と先に返信された画像データを用いて着目位置マーク付の地図と撮像画像を表示させるようにしたこと、
を特徴とする地図情報配信方法。
【請求項２８】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、画像格納アドレス別に画像データを対応する位置データ付で記憶しておき、外部の情報端末から画像格納アドレスを指定して画像要求を受けると、当該画像格納アドレスに記憶した画像データを対応する位置データ付で要求元に返信するようにし、
情報端末は、
表示手段を備え、
画像要求操作に従い、画像格納アドレスを指定して地図情報配信装置宛に画像要求を発し、返信された画像データと対応する位置データに基づき撮像画像を表示させ、
更に地図要求操作がされると、表示された画像に対応付けられた位置データを着目位置座標とする地図要求を地図情報配信装置宛に発し、
地図情報が受信されると、着目位置マーク付の地図または該地図と画像を表示させるようにしたこと、
を特徴とする地図情報配信方法。
【請求項２９】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、画像格納アドレス別に画像データを対応する位置データ付で記憶しておき、外部の情報端末から画像格納アドレスを指定して画像要求を受けると、当該画像格納アドレスに記憶した画像データを対応する位置データ付で要求元に返信するようにし、
情報端末は、
表示手段を備え、
画像要求操作に従い、画像格納アドレスを指定して地図情報配信装置宛に画像要求を発し、返信された画像データと対応する位置データに基づき画像を表示させ、更に表示された画像に対応付けられた位置データを着目位置座標とする地図要求を地図情報配信装置宛に発し、
地図情報が受信されると、着目位置マーク付の地図または該地図と画像を表示させるようにしたこと、
を特徴とする地図情報配信方法。
【請求項３０】
地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、
地図情報配信装置は、画像格納アドレス別に画像データを対応する位置データ付で記憶しておき、外部の情報端末から画像格納アドレスを指定して画像要求を受けると、当該画像格納アドレスに記憶した画像データを対応する位置データ付で要求元に返信するようにし、
情報端末は、
表示手段を備え、
画像要求操作に従い、画像格納アドレスを指定して地図情報配信装置宛に画像要求を発し、返信された画像データと対応する位置データを記憶手段に記憶するとともに、返信された位置データを着目位置座標とする地図要求を地図情報配信装置宛に発し、
地図情報が受信されると、該地図情報と先に返信された画像データを用いて着目位置マーク付の地図と画像を表示させるようにしたこと、
を特徴とする地図情報配信方法。
【発明の詳細な説明】
【０００１】
【発明の属する技術分野】
本発明は地図情報配信方法に係り、とくに画像が特定の場所と関係している場合に位置を地図上で容易に確認できるようにした地図情報配信方法に関する。
【０００２】
【従来の技術】
携帯型のＰＤＡ（Ｐｅｒｓｏｎａｌ　Ｄｉｇｉｔａｌ　Ａｓｓｉｓｔａｎｔｓ　）、ノート型ＰＣ（ＰｅｒｓｏｎａｌＣｏｍｐｕｔｅｒ　）、携帯電話、ＰＨＳ（　Ｐｅｒｓｏｎａｌ　Ｈａｎｄｙｐｈｏｎｅ　Ｓｙｓｔｅｍｓ　）等の携帯情報端末にはディジタルカメラが搭載されたものが有り、所望の場所で風景、建物、人物などの静止画像または動画像を撮像し、端末内に記憶して所望時に呼び出して表示させたり、或いはネットワーク経由で所望相手にメール添付等の方法で送信し、相手側の携帯情報端末または据え置き型、車載型の情報端末で表示させることができるようになっている。
【０００３】
【発明が解決しようとする課題】
ところで、旅行などで見知らぬ場所で撮影した場合、著名な場所でないと住所が判らない限り撮影者本人であっても後から撮像場所を地図上で確認することは難しかった。他人から撮像画像データを入手した人は撮影者から撮影場所の住所を教えてもらうのが難しいので、撮像場所を地図上で確認することが出来なかった。
本発明は、上記した従来技術の問題に鑑み、画像に対応する場所を地図上で簡単に確認できる地図情報配信方法を提供することを、その目的とする。
【０００４】
【課題を解決するための手段】
請求項１記載の地図情報配信方法では、地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、情報端末は、表示手段、現在位置を検出する現在位置検出手段、撮像指示に従い静止画または動画を撮像する撮像手段を備え、撮像手段で撮像した撮像画像データを、撮像時点または位置登録が指示された時点で現在位置検出手段により検出された位置データを対応付けて記憶手段に記憶しておき、撮像画像データの転送操作に従い記憶手段に記憶された所望の撮像画像データを対応する位置データ付で画像情報配信装置の所望画像格納アドレスに転送させ、所望相手への画像格納アドレスの送信操作に従い所望相手の情報端末宛に画像格納アドレスデータを送信し、また外部の情報端末から受信された画像格納アドレスデータを記憶手段に記憶し、画像要求操作に従い、記憶手段に記憶された画像格納アドレスデータを用いて画像情報配信装置宛に画像要求を発し、返信された撮像画像データと対応する位置データに基づき撮像画像を表示させ、更に地図要求操作がされると、表示された撮像画像に対応付けられた位置データを着目位置座標とする地図要求を地図情報配信装置宛に発し、地図情報が受信されると、着目位置マーク付の地図または該地図と撮像画像を表示させるようにしたこと、を特徴としている。
【０００５】
請求項２記載の地図情報配信方法では、地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、ネットワークを介して外部の情報端末から画像格納アドレスを指定して撮像画像データが対応する位置データ付で転送されると、指定された画像格納アドレスに記憶し、外部の情報端末から画像格納アドレスを指定して画像要求を受けると、当該画像格納アドレスに記憶した撮像画像データを対応する位置データ付で要求元に返信する画像情報配信装置を設け、情報端末は、１または複数の画像送信機能付情報端末と、該画像送信機能付情報端末とネットワークを介して通信可能な１または複数の画像受信機能付情報端末を含み、画像送信機能付情報端末は、現在位置を検出する現在位置検出手段、撮像指示に従い静止画または動画を撮像する撮像手段を備え、撮像手段で撮像した撮像画像データを、撮像した時点または位置登録が指示された時点で現在位置検出手段により検出された位置データを対応付けて記憶手段に記憶しておき、撮像画像データの転送操作に従い記憶手段に記憶された所望の撮像画像データを対応する位置データ付で画像情報配信装置の所望画像格納アドレスに転送させ、所望相手への画像格納アドレスの送信操作に従い所望相手の画像受信機能付情報端末宛に画像格納アドレスデータを送信し、画像受信機能付情報端末は、表示手段を備え、外部の画像送信機能付情報端末から受信された画像格納アドレスデータを記憶手段に記憶し、画像要求操作に従い、記憶手段に記憶された画像格納アドレスデータを用いて画像情報配信装置宛に画像要求を発し、返信された撮像画像データと対応する位置データに基づき撮像画像を表示させ、更に地図要求操作がされると、表示された撮像画像に対応付けられた位置データを着目位置座標とする地図要求を地図情報配信装置宛に発し、地図情報が受信されると、着目位置マーク付の地図または該地図と撮像画像を表示させるようにしたこと、を特徴としている。
【０００６】
請求項１、２の情報端末、画像受信機能付情報端末では、画像要求操作に従い、記憶手段に記憶された画像格納アドレスデータを用いて画像情報配信装置宛に画像要求を発し、返信された撮像画像データと対応する位置データに基づき撮像画像を表示させ、更に地図要求操作がされると、表示された撮像画像に対応付けられた位置データを着目位置座標とする地図要求を地図情報配信装置宛に発し、地図情報が受信されると、着目位置マーク付の地図または該地図と撮像画像を表示させるようにしたが、画像要求操作に従い、記憶手段に記憶された画像格納アドレスデータを用いて画像情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、地図情報が受信されると、着目位置マーク付の地図または該地図と撮像画像を表示させるようにしても良く、或いは、画像要求操作に従い、記憶手段に記憶された画像格納アドレスデータを用いて画像情報配信装置宛に画像要求を発し、返信された撮像画像データと対応する位置データを記憶手段に記憶するとともに、返信された位置データを着目位置座標とする地図要求を地図情報配信装置宛に発し、地図情報が受信されると、該地図情報と先に返信された撮像画像データを用いて着目位置マーク付の地図と撮像画像を表示させるようにしても良い（この際、撮像画像と着目位置マーク付の地図は併置して表示したり、切り換え操作に伴い切り換え表示したり、地図上の着目位置を外した領域に撮像画像を重ねて表示したりしても良い）。
更に、ネットワーク上に設けた画像情報配信装置の機能を地図情報配信装置で具現するようにしても良い。
【０００７】
請求項７では、情報端末は、表示手段、現在位置を検出する現在位置検出手段、撮像指示に従い静止画または動画を撮像する撮像手段を備え、撮像手段で撮像した撮像画像データを、撮像時点または位置登録が指示された時点で現在位置検出手段により検出された位置データを対応付けて記憶手段に記憶しておき、撮像画像データの転送操作に従い記憶手段に記憶された所望の撮像画像データを対応する位置データ付で画像情報配信装置の所望画像格納アドレスに転送させ、画像要求操作に従い、画像格納アドレスを指定して画像情報配信装置宛に画像要求を発し、返信された撮像画像データと対応する位置データに基づき撮像画像を表示させ、更に地図要求操作がされると、表示された撮像画像に対応付けられた位置データを着目位置座標とする地図要求を地図情報配信装置宛に発し、地図情報が受信されると、着目位置マーク付の地図または該地図と撮像画像を表示させるようにしたこと、を特徴としている。
【０００８】
請求項８では、情報端末は、１または複数の画像送信機能付情報端末と１または複数の画像受信機能付情報端末を含み、画像送信機能付情報端末は、現在位置を検出する現在位置検出手段、撮像指示に従い静止画または動画を撮像する撮像手段を備え、撮像手段で撮像した撮像画像データを、撮像した時点または位置登録が指示された時点で現在位置検出手段により検出された位置データを対応付けて記憶手段に記憶しておき、撮像画像データの転送操作に従い記憶手段に記憶された所望の撮像画像データを対応する位置データ付で画像情報配信装置の所望画像格納アドレスに転送させ、画像受信機能付情報端末は、表示手段を備え、画像要求操作に従い、画像格納アドレスを指定して画像情報配信装置宛に画像要求を発し、返信された撮像画像データと対応する位置データに基づき撮像画像を表示させ、更に地図要求操作がされると、表示された撮像画像に対応付けられた位置データを着目位置座標とする地図要求を地図情報配信装置宛に発し、地図情報が受信されると、着目位置マーク付の地図または該地図と撮像画像を表示させるようにしたこと、を特徴としている。
【０００９】
請求項７、８の情報端末、画像受信機能付情報端末では、画像要求操作に従い、画像格納アドレスを指定して画像情報配信装置宛に画像要求を発し、返信された撮像画像データと対応する位置データに基づき撮像画像を表示させ、更に地図要求操作がされると、表示された撮像画像に対応付けられた位置データを着目位置座標とする地図要求を地図情報配信装置宛に発し、地図情報が受信されると、着目位置マーク付の地図または該地図と撮像画像を表示させるようにしたが、画像要求操作に従い、画像格納アドレスを指定して画像情報配信装置宛に画像要求を発し、返信された撮像画像データと対応する位置データに基づき撮像画像を表示させ、更に表示された撮像画像に対応付けられた位置データを着目位置座標とする地図要求を地図情報配信装置宛に発し、地図情報が受信されると、着目位置マーク付の地図または該地図と撮像画像を表示させるようにしても良く、或いは、画像要求操作に従い、画像格納アドレスを指定して画像情報配信装置宛に画像要求を発し、返信された撮像画像データと対応する位置データを記憶手段に記憶するとともに、返信された位置データを着目位置座標とする地図要求を地図情報配信装置宛に発し、地図情報が受信されると、該地図情報と先に返信された撮像画像データを用いて着目位置マーク付の地図と撮像画像を表示させるようにしても良い（この際、撮像画像と着目位置マーク付の地図は併置して表示したり、切り換え操作に伴い切り換え表示したり、地図上の着目位置を外した領域に撮像画像を重ねて表示したりしても良い）。
更に、ネットワーク上に設けた画像情報配信装置の機能を地図情報配信装置で具現するようにしても良い。
【００１０】
請求項２５記載の地図情報配信方法では、地図情報を蓄積して外部に地図情報を配信する地図情報配信装置と、該地図情報配信装置とネットワークを介して通信可能な１または複数の情報端末とを含み、該情報端末から着目位置座標付の地図要求を受けると地図情報配信装置は、着目位置座標周辺の地図情報を読み出し、要求元の情報端末に返信するようにした地図情報配信システムにおいて、ネットワークを介して画像格納アドレス別に画像データを対応する位置データとともに記憶しておき、外部の情報端末から画像格納アドレスを指定して画像要求を受けると、当該画像格納アドレスに記憶した画像データを対応する位置データ付で要求元に返信する画像情報配信装置を設け、情報端末は、表示手段を備え、画像要求操作に従い、画像格納アドレスを指定して画像情報配信装置宛に画像要求を発し、返信された画像データと対応する位置データに基づき画像を表示させ、更に地図要求操作がされると、表示された画像に対応付けられた位置データを着目位置座標とする地図要求を地図情報配信装置宛に発し、地図情報が受信されると、着目位置マーク付の地図または該地図と画像を表示させるようにしたこと、を特徴としている。
【００１１】
請求項２５の情報端末では、画像要求操作に従い、画像格納アドレスを指定して画像情報配信装置宛に画像要求を発し、返信された画像データと対応する位置データに基づき画像を表示させ、更に地図要求操作がされると、表示された画像に対応付けられた位置データを着目位置座標とする地図要求を地図情報配信装置宛に発し、地図情報が受信されると、着目位置マーク付の地図または該地図と画像を表示させるようにしたが、画像要求操作に従い、画像格納アドレスを指定して画像情報配信装置宛に画像要求を発し、返信された画像データと対応する位置データに基づき画像を表示させ、更に表示された画像に対応付けられた位置データを着目位置座標とする地図要求を地図情報配信装置宛に発し、地図情報が受信されると、着目位置マーク付の地図または該地図と画像を表示させるようにしても良く、或いは、画像要求操作に従い、画像格納アドレスを指定して画像情報配信装置宛に画像要求を発し、返信された画像データと対応する位置データを記憶手段に記憶するとともに、返信された位置データを着目位置座標とする地図要求を地図情報配信装置宛に発し、地図情報が受信されると、該地図情報と先に返信された画像データを用いて着目位置マーク付の地図と画像を表示させるようにしても良い（この際、画像と着目位置マーク付の地図は併置して表示したり、切り換え操作に伴い切り換え表示したり、地図上の着目位置を外した領域に画像を重ねて表示したりしても良い）。
更に、ネットワーク上に設けた画像情報配信装置の機能を地図情報配信装置で具現するようにしても良い。
【００１２】
【発明の実施の形態】
次に、本発明の一つの実施の形態を図１を参照して説明する。図１は本発明に係る地図情報配信システムの構成を示すブロック図である。
１１　、１２　、・・は各々ユーザＵ１　、Ｕ２　、・・が個別に所持する携帯情報端末（ノート型パソコン、ＰＤＡ、携帯電話、ＰＨＳなど）であり、画像送受信機能付である。携帯情報端末１１　、１２　、・・はネットワークを介して外部の種々の情報端末（携帯情報端末、デスクトップパソコン等の据え置き型情報端末、車載情報端末など）、ネットワーク上の種々の情報配信装置と通信可能である。携帯情報端末１１　、１２　、・・は静止画または動画を撮像し、撮像を指示した時点または位置登録を指示した時点の位置データ付で撮像画像データを記憶し、また外部の種々の情報端末（携帯情報端末、据え置き型情報端末、車載情報端末など）、情報配信装置から受信した撮像画像データを記憶する。記憶した撮像画像データはネットワーク経由で所望相手の情報端末（携帯情報端末、据え置き型情報端末、車載情報端末など）またはネットワーク上に設けられた画像情報配信装置宛に送信でき、また、記憶した撮像画像を表示したり、表示した撮像画像に付属の位置データを着目位置座標として地図情報配信装置宛に地図要求をし、返信された着目位置周辺の地図情報に基づき着目位置マーク付の地図を表示したりする。
【００１３】
２は公衆ネットワーク、３はアプリケーションサービスプロバイダの運用する画像情報配信装置（画像情報配信サービスコンピュータシステム）、４はアプリケーションサービスプロバイダの運用する地図情報配信装置（地図情報配信サービスコンピュータシステム）であり、各々、公衆ネットワーク２を介して外部の種々の情報端末（携帯情報端末、据え置き型情報端末、車載情報端末など）、ネットワーク上の種々の情報配信装置と通信可能である。画像情報配信装置３は、外部の情報端末から画像格納アドレスを指定して転送された位置データ付の撮像画像データを記憶手段３０の指定画像格納アドレスに記憶する一方、外部の情報端末から画像格納アドレスを指定して画像要求が有ると、指定された画像格納アドレスに記憶された画像データを要求元に返信する。この際、画像情報配信装置３は、画像要求をしてきた情報端末の機種情報が判るときは、要求された画像データの型式（ＰＮＧ、ＪＰＥＧ、ＢＭＰなどのフォーマット）が要求元の端末で使用可か判別し、使用可であればそのまま返信し、使用可でなければ使用可な型式にデータ変換したのち返信する。
【００１４】
なお、画像情報配信装置３の画像格納アドレスは、ＵＲＬにより公衆ネットワーク上でユニークに割り当てられているものとし、ここではＡＢＣａ、ＡＢＣｂ、ＡＢＣｃ、・・とする（図６参照）。また、画像情報配信装置３の画像格納アドレスＡＢＣｉ（ｉ＝ａ、ｂ、ｃ、・・）からの画像データの直接の受信は、ＡＢＣｉというＵＲＬへのアクセスで行えるものとし、画像格納アドレスＡＢＣｉ（ｉ＝ａ、ｂ、ｃ、・・）の画像データのホームページ形式の受信は、ＡＢＤ（ＡＢＣｉ）というＵＲＬへのアクセスで行えるものとする（（ＡＢＣｉ）は、ＵＲＬ中にパラメータとしてＡＢＣｉが含まれていることを意味する）。
【００１５】
地図情報配信装置４の記憶手段４０の中に所定の縮尺で所定の経度幅、緯度幅毎に分割された単位地図（図７の符号ＭＰｉｊ参照）毎の地図データ（地図表示用のベクトルデータ）が記憶されている。この地図情報配信装置４はネットワーク経由で外部の情報端末から着目位置座標Ｐ（経度Ｘ，緯度Ｙ）付で地図要求が有ると、着目位置座標を中心とする一定範囲（携帯情報端末１１　、１２　、・・の１画面に所定の縮尺の地図表示させたときの地図表示領域（着目位置が図７のＰの場合、符号ＤＡ参照）を含む全ての単位地図（着目位置が図７のＰの場合、ＭＰ２２、ＭＰ２３、ＭＰ３２、ＭＰ３３）の地図データを要求元に返信し（返信地図情報のヘッダに着目位置座標を含む）、着目位置マーク付の地図を表示可能とする。
地図情報配信装置４に対する地図要求は、着目位置座標Ｐ＝（Ｘ，Ｙ）として、ＥＦＧ（（Ｘ，Ｙ））というＵＲＬへのアクセスで行えるものとする。
【００１６】
携帯情報端末１１　は具体的には図１に示す如く構成されており、この内、１０は撮像指示に従い、事前に設定された撮像モード（静止画または動画）で撮像し、撮像画像データを出力するディジタルカメラ部から成る撮像部、１１はＧＰＳ衛星航法により現在位置を検出し、（経度，緯度）の現在位置データを出力する現在位置検出部、１２は受信メールデータの内容（文、画像、リンク）、撮像画像、着目位置マーク付の地図等を表示する表示部、１３は後述する処理部の制御に従い公衆ネットワーク２と無線で接続し、該公衆ネットワーク２を介して他の各種情報端末（携帯情報端末１２　、・・を含む）、種々の情報配信装置（画像情報配信装置３、地図情報配信装置４を含む）等と通信し、各種情報を授受する通信部、１４は記憶部であり、撮像部１０で撮像した撮像画像データを複数個記憶できる撮像画像データ記憶領域１４ａ、受信メールデータ、送信メールデータを記憶するメールデータ記憶領域１４ｂ、データを一時記憶する一時記憶領域１４ｃ等を有している。１５は、操作部であり、撮像モード選択操作、撮像指示操作（図示しない撮像ボタン使用）、位置登録指示操作（図示しない位置登録ボタン使用）、画像情報配信装置宛の撮像画像データの転送指示操作（画像格納アドレスの指定有り）、送信メールの作成・送信操作、所望受信メールの選択操作（受信画像の選択操作を兼ねる）、リンク選択操作、表示終了操作等を行う。
【００１７】
１６は処理部であり、操作部１５での操作に従い、各部を制御して、撮像、所望撮像画像データの表示、撮像画像データの画像情報配信装置３への画像格納アドレスを指定した転送、外部の所望の情報端末宛のメール作成・送信（撮像画像データの添付可）、外部の情報端末等からのメール受信、所望受信メールの内容表示、リンク選択に伴う公衆ネットワーク２の画像情報配信装置３、地図情報配信装置４へのアクセス（画像要求、地図要求）などを行う。撮像に関しては、撮像指示に従い撮像部１０を制御して撮像モードに応じた撮像をさせ、撮像画像データを記憶部１４の撮像画像データ記憶領域１４ａにファイル名を自動付与しながら記憶させ、この際、撮像時点で現在位置検出部１１で検出された位置データ（経度，緯度）（＝（Ｘ，Ｙ））と画像データ型式Ｄをヘッダに含めて記憶させる。処理部１６は撮像後、所望の撮像画像データの選択を伴う位置登録の指示操作がされると、その時点で現在位置検出部１１で検出された位置データで所望の撮像画像データに初期記録された位置データを書き換える（遠くから撮像した建物の場合、撮像位置と建物の位置は異なるが、撮像後、建物の近くで位置登録することができる）。
【００１８】
また、メール作成・送信では、撮像画像データ記憶領域に記憶された内、所望の撮像画像データをメールに添付して所望相手の情報端末に送信でき、所望受信メールの内容表示では、撮像画像データが添付されている場合、送信元情報、タイトル、受信日時、メール本文に加えて、撮像画像データを用いて撮像画像を表示し、かつ撮像画像データのヘッダに位置データが含まれており、メール本文に地図要求リンク用のＵＲＬが含まれていないときは、当該位置データ（Ｘ，Ｙ）を着目位置座標としてのパラメータとする地図要求用のＵＲＬ＝ＥＦＧ（（Ｘ，Ｙ））をリンク情報とした地図要求リンク（図８（２）の地図要求ボタン「ＭＡＰ」参照）を自動作成して表示させる。地図要求リンクが選択されると、処理部１６は通信部１３を制御してリンク情報の示すＵＲＬにアクセスさせて外部の地図情報配信装置４に地図要求を発信させ（この際、携帯情報端末の機種が判る端末ＩＤを一緒に送信させる）、地図情報配信装置４から返信された地図情報を記憶部１４の一時記憶領域１４ｃに一時記憶し、該地図情報を用いて着目位置マーク付の地図を描画し、表示させる（図９参照）。
【００１９】
また、所望撮像画像データを画像情報配信装置３に転送させたあと、メールで画像格納アドレスをパラメータに含む画像要求用のＵＲＬを所望相手の情報端末に送信すれば、相手方は当該ＵＲＬにアクセスして画像を閲覧できる。相手方から受信したメールにＵＲＬが記載されている場合、処理部１６はメール内容を表示させる際、ＵＲＬをリンク情報とするリンクに変換して表示させるので、ユーザはＵＲＬに簡単にアクセスできる。
携帯情報端末１２　、・・も１１　と全く同様に構成されている。
【００２０】
図２と図３は携帯情報端末１ｉ　（ｉ＝１、２、・・）の処理部１６の制御処理を示すフローチャート、図４は画像情報配信装置３の画像情報配信処理を示すフローチャート、図５は地図情報配信装置４の地図情報配信処理を示すフローチャート、図６は画像情報配信装置３の記憶手段３０にアドレス別に格納される撮像画像データの説明図、図７は単位地図データのエリアを示す説明図、図８〜図１３は携帯情報端末１ｉ　の画面表示例の説明図であり、以下これらの図を参照して上記した実施の形態の動作を説明する。
なお、ここでは説明の便宜上、携帯情報端末１ｉ　からの送信メールに添付できる画像は１つであるとする。
【００２１】
（１）撮像
ユーザＵ１　がユーザＵ２　と待ち合わせをしたい或る店舗の前に居るときに、風景を撮像し、ユーザＵ２　に撮像画像を送って居場所を教えたい場合、まず、携帯情報端末１１　の操作部１５で静止画または動画の撮像モードの選択操作をすると、処理部１６は記憶部１４に登録する（図２のステップＳ１０、Ｓ１１）。次に撮像ボタンを押し撮像を指示すると、処理部１６は撮像部１０を制御し、静止画モードの場合は静止画像を撮像させ、動画モードの場合は撮像ボタンを押している間だけ動画像を撮像させ、撮像画像データ（ＰＤａ　とする）に新規のファイル名（ここでは「Ｉｍａｇｅ０１」とする）を自動付与して記憶部１４の撮像画像データ記憶領域１４ａに記憶させ、撮像画像データＰＤａ　のヘッダに画像データ形式Ｄａ　と、撮像時点で現在位置検出部１１で検出された位置データ（Ｘａ　，Ｙａ　）（＝（経度，緯度））をヘッダに付加する（ステップＳ１２、Ｓ１３、Ｓ１４）。
【００２２】
他の風景等を撮像した場合も上述と全く同様にして、新たな撮像画像データ（位置データと画像データ形式をヘッダに含む）、新規のファイル名を付与されて記憶部１４の撮像画像データ記憶領域１４ａに追加して記憶される。
なお、遠くから建物を撮像したとき、撮像位置より建物の位置を記録したい場合は、撮像対象とした建物の所において、操作部１５で撮像画像データ記憶領域１４ａの所望の撮像画像の選択をし、更に位置登録ボタンを押して位置登録指示操作をすれば、処理部１６はその時点で現在位置検出部１１で検出された位置データで所望撮像画像データのヘッダの位置データを書き換える（ステップＳ１５、Ｓ１６）。
【００２３】
（２）撮像画像の送信
操作部１５でメール作成操作をし、送信先のユーザＵ２　のメールアドレス、送信元のユーザＵ１　のメールアドレス、タイトル（件名）、本文を入力し、かつ所望撮像画像データのファイル名（ここでは「Ｉｍａｇｅ０１」とする）を入力して添付ファイルを指定したのち（図８（１）参照）、メール送信操作をすると、処理部１６は通信部１３を制御し、公衆ネットワーク２を経由してユーザＵ２　宛に添付画像ファイル付のメールを送信させる（ステップＳ１９、Ｓ２０）。
【００２４】
（３）撮像画像の受信
送信されたメールデータは公衆ネットワーク２を介してユーザＵ２　の携帯情報端末１２　に受信され、記憶部１４のメールデータ記憶領域１４ｂに追加して記憶される（図３のステップＳ３０、Ｓ３１）。ユーザが今回受信したメールの内容を見るため操作部１５で今回受信したメールの選択操作をすると、処理部１６は記憶部１４のメールデータ記憶領域１４ｂに記憶された所望の受信メールデータに基づき、送信元情報、タイトル、受信日時、本文とともに、添付された画像データがあるときは当該添付画像（図８（２）の符号ＴＩ参照）を表示部１２の画面１２２　に表示する（ステップＳ３２、Ｓ３３）。若し、本文中にＵＲＬが含まれているときは、ＵＲＬをリンク情報とするリンクを作成して表示する。なお、情報が多く１画面に入りきらない場合は、スクロール操作に応じてスクロール表示させる。
【００２５】
次に、所望受信メールに添付された画像データのヘッダ内に位置データが付属するかチェックする（ステップＳ３４）。付属しているので、続いて、地図要求リンクを表示済かチェックし、ここでは表示していないので、リンク情報が当該位置データを着目位置座標としてのパラメータとして含む地図要求リンク（リンク情報＝ＥＦＧ（（Ｘａ　，Ｙａ　））を自動作成して表示させる（ステップＳ３５、Ｓ３６。図８（２）の地図要求ボタンＭＢ参照）。
【００２６】
（４）地図要求
ユーザＵ２　が添付画像ＴＩで表示された場所を地図上で確認したい場合、操作部１５で地図要求ボタンＭＢを選択して地図要求操作をすると、処理部１６は通信部１３を制御してリンク情報の示すＵＲＬ＝ＥＦＧ（（Ｘａ　，Ｙａ　））にアクセスさせて公衆ネットワーク２の上の地図情報配信装置４に対し着目位置座標付の地図要求を行う（ステップＳ３７、Ｓ３８）。該要求を受けた地図情報配信装置４は着目位置座標に基づき、記憶手段４０から着目位置を中心に含む所定の縮尺で携帯情報端末１ｉ　における１画面分の地図表示領域が一部でも入る全ての単位地図の地図データを読み出し、要求元に一括して地図情報として返信する（図５のステップＳ６０、Ｓ６１。着目位置が図７のＰの場合、単位地図ＭＰ２２、ＭＰ２３、ＭＰ３２、ＭＰ３３の地図データが返信される。なお、返信地図情報のヘッダには着目位置座標を含めておく）。
【００２７】
（５）地図表示
返信された地図情報は携帯情報端末１２　の通信部１３で受信され、処理部１６が記憶部１４の一時記憶領域１４ｃに記憶させる（図３のステップＳ３９）。そして、受信地図情報を用いて所定の縮尺で着目位置座標を中心とする地図を描画し、画面１２２　に先に表示していた所望受信メールの内容に代えて、着目位置マーク（図９の符号ＭＭ参照）とともに地図表示させる（ステップＳ４０。図９の符号ＭＩ参照）。これにより、ユーザＵ２　はユーザＵ１　から受信した撮像画像がどこの場所のものか地図上で確認でき、待ち合わせの場合に容易にたどり着くことができる。なお、地図の表示は、所望受信メールの内容（送信元情報、タイトル、受信日時、本文、画像、地図要求リンクを含む）の先頭に割り込ませて行ったり、所望受信メールの内容の最後尾に続けて行い、スクロール操作により、所望受信メールの内容と地図をスクロール表示させるようにしても良い。或いは、地図上の隅に、撮像画像の縮小画像を重ねて表示したり（図１０（１）参照）、地図上の隅に撮像画像の中央部分を重ねて表示しても良い（図１０（２）参照）。
地図の確認を終わり、表示を消したい場合、操作部１５で終了操作をすれば処理部１６は画面表示を消す（ステップＳ４１、Ｓ４２）。
【００２８】
（６）送信側での地図要求リンクの作成
ユーザＵ１　が携帯情報端末１１　を用いてＩｍａｇｅ０１の撮像画像データを添付したユーザＵ２　宛のメールを作成する際、本文中に位置データ（Ｘａ　，Ｙａ　）をパラメータに含む地図要求リンクのＵＲＬ（＝ＥＦＧ（（Ｘａ　，Ｙａ　）））を入力したとき（図１１（１）参照）、受信側の携帯情報端末１２　で当該受信メールを選択して内容を表示させたとき、処理部１６はステップＳ３３でＵＲＬをリンク情報とする地図要求リンク（ここでは文字リンク）を作成するので（図１１（２）参照）、ステップＳ３６での作成処理はされないが（ステップＳ３５でＹＥＳ）、当該文字リンクを選択することで前述と同様にして地図表示させることができる。
なお、携帯情報端末１１　を用いてメールを作成した時に位置データの付属した撮像画像データの添付を指示したとき、処理部１６がメール本文中に自動で位置データ（Ｘ，Ｙ）をパラメータに含む地図要求リンクのＵＲＬ＝ＥＦＧ（（Ｘ，Ｙ））を作成するようにしても良い（図１１（１）参照）。
【００２９】
（７）画像情報配信装置への撮像画像の転送
ユーザＵ１　が例えば撮像画像データＰＤａ　を画像情報配信装置３のアドレスＡＢＣａ（公衆ネットワーク上でユニークなアドレス）に格納させておき、他のユーザが画像情報配信装置３にアクセスして所望画像の閲覧を出来るようにしたい場合、操作部１５で撮像画像データ記憶領域１４ａの所望の撮像画像の選択をし、画像格納アドレスを指定して画像情報配信装置宛の転送操作をする。すると、処理部１６は通信部１３を制御して画像情報配信装置宛に転送要求（携帯情報端末１１　の端末ＩＤが含まれる）を発信させ、要求が受け付けられると撮像画像データＰＤａ　を画像格納アドレスＡＢＣａを指定して画像情報配信装置宛に転送させる（図２のステップＳ１７、Ｓ１８）。画像情報配信装置３は、転送された撮像画像データＰＤａ　を記憶手段３０の指定された画像格納アドレスＡＢＣａに記憶させる（図４のステップＳ５０、Ｓ５１。図６参照）。
同様にして、他の撮像画像データＰＤｂ　、ＰＤｃ　も各々画像格納アドレスＡＢＣｂ、ＡＢＣｃを指定して転送したとき、画像情報配信装置３は、転送された撮像画像データＰＤｂ　、ＰＤｃ　を各々記憶手段３０の指定された画像格納アドレスＡＢＣｂ、ＡＢＣｃに記憶させる（図４のステップＳ５０、Ｓ５１。図６参照）。
【００３０】
（８）画像格納アドレスの通知
ユーザＵ１　が画像情報配信装置３に転送した内、例えば撮像画像データＰＤａ　をユーザＵ２　に閲覧させたい場合、ユーザＵ２　宛のメールを作成し、メール本文に、撮像画像データだけを直接要求するための画像格納アドレスのＵＲＬ＝ＡＢＣａ、またはホームページ形式での撮像画像データの要求をするためのＵＲＬ＝ＡＢＤ（ＡＢＣａ）を入力して送信する（図２のステップＳ１９、Ｓ２０。図１２（１）参照）。
【００３１】
送信されたメールデータは公衆ネットワーク２を介してユーザＵ２　の携帯情報端末１２　に受信され、記憶部１４のメールデータ記憶領域１４ｂに追加して記憶される（図３のステップＳ３０、Ｓ３１）。ユーザが今回受信したメールの内容を見るため操作部１５で今回受信したメールの選択操作をすると、処理部１６は記憶部１４のメールデータ記憶領域１４ｂに記憶された所望の受信メールデータに基づき、送信元情報、タイトル、受信日時、本文とともに、本文中にＵＲＬが含まれているときは、ＵＲＬをリンク情報とするリンクを作成して表示する（ステップＳ３２、Ｓ３３。図１２（２）参照）。画像要求リンクＰＬ１、ＰＬ２が表示される。なお、情報が多く１画面に入りきらない場合は、スクロール操作に応じてスクロール表示させる。
【００３２】
（９）画像の閲覧
ユーザＵ２　が画像要求リンクＰＬ１を選択して画像要求操作をすると、処理部１６は通信部１３を制御し、リンク情報の示すＵＲＬ＝ＡＢＣａにアクセスさせて公衆ネットワーク２の上の画像情報配信装置３に対し画像要求（携帯情報端末１２　の端末ＩＤが含まれる）を発信させる（ステップＳ３７、Ｓ３８）。該要求を受けた画像情報配信装置３は指定された画像格納アドレスＡＢＣａに格納された撮像画像データＰＤａ　を読み出し、端末ＩＤから機種を特定して要求元の情報端末で画像データ形式Ｄａ　が使用可能か判別し（図４のステップＳ５２、Ｓ５３）、使用可であれば指定された撮像画像データＰＤａ　をそのままのデータ形式で要求元に返信し（ステップＳ５４）、使用不可であれば指定された撮像画像データＰＤａ　を携帯情報端末１２　で使用可能なデータ形式に変換して要求元に返信する（ステップＳ５５）。これにより、メールで直接送信した場合、機種によっては受信側の情報端末で正しく画像表示出来ない場合があったが、画像情報配信装置３の側でデータ型式を変換することで正しく画像表示させることができる。
なお、ステップＳ５３で判別できなかったときは、ステップＳ５４に進んで指定された撮像画像データＰＤａ　をそのままのデータ形式で要求元に返信するものとする。
【００３３】
返信された撮像画像データＰＤａ　は通信部１３で受信され、処理部１６が記憶部１４の一時記憶領域１４ｃに記憶させる（ステップＳ３９）。そして、返信された撮像画像データＰＤａ　に基づき、処理部１６は表示部１２の画面１２２　に返信画像を表示させる（ステップＳ４０。図１３（１）の符号ＲＩ参照）。次に、今回返信された撮像画像データＰＤａ　のヘッダ内に位置データが付属するかチェックする（ステップＳ３４）。付属しているので、続いて、地図要求リンクを表示済かチェックし、ここでは表示していないので、リンク情報が当該位置データを着目位置座標としてのパラメータとして含む地図要求リンク（地図要求ボタン、リンク情報＝ＥＦＧ（（Ｘａ　，Ｙａ　））を自動作成して表示させる（ステップＳ３５、Ｓ３６。図１３（１）の符号ＭＢ参照）。
なお、撮像画像データＰＤｂ　、ＰＤｃを閲覧したい場合は、各々ＵＲＬ＝ＡＢＣｂ、ＡＢＣｃにアクセスすれば良い。
【００３４】
（１０）ホームページ型式での画像の閲覧
若し、ユーザＵ２　が画像要求リンクＰＬ２を選択して画像要求操作をすると、処理部１６は通信部１３を制御し、リンク情報の示すＵＲＬ＝ＡＢＤ（ＡＢＣａ）にアクセスさせて公衆ネットワーク２の上の画像情報配信装置３に対し画像要求（携帯情報端末１２　の端末ＩＤが含まれる）を発信させる（ステップＳ３７、Ｓ３８）。該要求を受けた画像情報配信装置３は指定された画像格納アドレスＡＢＣａに格納された撮像画像データＰＤａ　を読み出し、端末ＩＤから機種を特定して要求元の情報端末で画像データ形式Ｄａ　が使用可能か判別し（図４のステップＳ５６、Ｓ５７）、使用可であれば指定された撮像画像データＰＤａ　をそのままの型式で含み、かつ地図要求用リンク（地図要求ボタン、リンク情報＝ＥＦＧ（（Ｘａ　，Ｙａ　）））を含む所定のホームページデータを要求元に返信し（ステップＳ５８）、使用不可であれば指定された撮像画像データＰＤａ　を携帯情報端末１２　で使用可能なデータ形式に変換した撮像画像データＰＤａ　と地図要求用リンクを含む所定のホームページデータを要求元に返信する（ステップＳ５９）。
【００３５】
返信されたホームページデータは通信部１３で受信され、処理部１６が記憶部１４の一時記憶領域１４ｃに記憶させる（ステップＳ３９）。そして、返信されたデータに基づき、処理部１６は表示部１２の画面１２２　に返信画像ＲＩと地図要求ボタン（図１３（２）の符号ＭＢ´参照）を含む返信ホームページを表示させる（ステップＳ４０。図１３（２）のＨＰ参照）。次に、今回返信された撮像画像データＰＤａ　のヘッダ内に位置データが付属するかチェックする（ステップＳ３４）。付属しているので、続いて、地図要求リンクを表示済かチェックし、ここでは表示済なので、とくにリンク作成はしない（ステップＳ３５でＹＥＳ）。ホームページ型式にすることで、画像情報配信装置側で他の要求用のリンク、画像、文を任意に付加できる。
なお、撮像画像データＰＤｂ　、ＰＤｃをホームページ型式で閲覧したい場合は、各々ＵＲＬ＝ＡＢＤ（ＡＢＣｂ）、ＡＢＤ（ＡＢＣｃ）にアクセスすれば良い。
【００３６】
（１１）地図要求と表示
ユーザＵ２　が返信画像ＲＩで表示された場所を地図上で確認したい場合、操作部１５で地図要求ボタン（図１３（１）のＭＢまたは図１３（２）のＭＢ´）を選択して地図要求操作をすると、処理部１６は通信部１３を制御してリンク情報の示すＵＲＬ＝ＥＦＧ（（Ｘａ　，Ｙａ　））にアクセスさせて公衆ネットワーク２の上の地図情報配信装置４に対し着目位置座標付の地図要求を行う（ステップＳ３７、Ｓ３８）。該要求を受けた地図情報配信装置４は着目位置座標に基づき、記憶手段４０から着目位置を中心に含む所定の縮尺で携帯情報端末１１　における１画面分の地図表示領域が一部でも入る全ての単位地図の地図データを読み出し、要求元に一括して地図情報として返信する（図５のステップＳ６０、Ｓ６１。なお、返信地図情報のヘッダには着目位置座標を含めておく）。
【００３７】
返信された地図情報は携帯情報端末１２　の通信部１３で受信され、処理部１６が記憶部１４の一時記憶領域１４ｃに記憶させ（図３のステップＳ３９）、受信地図情報を用いて所定の縮尺で着目位置座標を中心とする地図を描画し、画面１２２　に先に表示していた返信画像（図１３（１）の場合）または返信ホームページ（図１３（２）の場合）に代えて、着目位置マークとともに地図表示させる（ステップＳ４０。図９参照）。これにより、ユーザＵ２　は返信画像ＲＩがどこの場所のものか地図上で確認できる。なお、地図の表示は、図１３（１）の場合、返信画像ＲＩの先頭に割り込ませて行ったり、返信画像ＲＩの後（ここでは地図要求ボタンＭＢの後）に続けて行い、スクロール操作により、返信画像ＲＩと地図をスクロール表示させるようにしても良い。また、図１３（２）の場合、返信ホームページＨＰの先頭に割り込ませて行ったり、返信ホームページＨＰの後に続けて行い、スクロール操作により、返信ホームページＨＰと地図をスクロール表示させるようにしても良い。地図の確認を終わり、表示を消したい場合、操作部１５で終了操作をすれば処理部１６は画面表示を消す（ステップＳ４１、Ｓ４２）。
【００３８】
（１２）自身で撮像した画像と位置の確認
ユーザＵ１　が自身で撮像した撮像画像を確認したり、撮像画像の位置を地図上で確認したい場合、操作部１５で撮像画像データ記憶領域１４ａの内の所望画像の呼び出し操作をすると、処理部１６は所望撮像画像データに基づき撮像画像を画面表示する（図３のステップＳ４３、Ｓ４４）。これにより、自身で撮像した画像を画面で確認できる。このあと、処理部１６はステップＳ３４に進み、撮像画像データに付属の位置データを用いて地図要求リンクを作成して撮像画像の下に表示させる（ステップＳ３４〜Ｓ３６）。よって、当該地図要求リンクを選択することで撮像画像の位置を地図上で確認できる。
【００３９】
なお、上記した説明では、携帯情報端末１１　で撮像した撮像画像を携帯情報端末１２　で表示し、かつ、携帯情報端末１２　で地図確認する場合について説明したが、一般に携帯情報端末１ｉ　で撮像した撮像画像を他の携帯情報端末１ｊ　で表示し、かつ、携帯情報端末１ｊ　で地図確認する場合についても同様に行うことができる。
【００４０】
この実施の形態によれば、携帯情報端末１ｉ　で撮像した静止画または動画の撮像画像データを、撮像位置または所望位置の位置データ付で記憶させることができ、位置データ付の撮像画像データを所望相手の携帯情報端末１ｊ　に送信すれば、受信側では受信した撮像画像データに基づき撮像画像を表示させて画像を確認できるとともに、表示画像に付属の位置データを着目位置座標とした地図要求を地図情報配信装置４に発し、返信された地図情報に基づき着目位置マーク付の地図を表示させ、撮像画像に対応付けられた場所を地図上で確認することもできる。
【００４１】
また、携帯情報端末１ｉ　から位置データ付の撮像画像データをネットワーク上に設けた画像情報配信装置３に画像格納アドレスを指定して転送し記憶させておくと、画像情報配信装置３は他の携帯情報端末１ｊ　から画像格納アドレスを指定した画像要求が有ると、指定された画像格納アドレスの位置データ付の撮像画像データを要求元に返信するので、受信側では返信された撮像画像データに基づき撮像画像を表示させて画像を確認できるとともに、表示画像に付属の位置データを着目位置座標とした地図要求を地図情報配信装置４に発し、返信された地図情報に基づき着目位置印付の地図を表示させ、撮像画像に対応付けられた場所を地図上で確認することもできる。この際、画像情報配信装置３は画像の要求元の携帯情報端末１ｊ　の機種に合致したデータ型式で撮像画像データを返信するので、受信側では撮像画像を確実に表示できる。
【００４２】
なお、上記した実施の形態では、ユーザが所望受信メールを選択することで、所望の撮像画像を含む所望の受信メールの内容を見られるようにしたが、図３を図１４の如く変更し、通信部１３でメールが受信されたとき、処理部１６はステップＳ３０´でＹＥＳと判断し、受信メールデータをメールデータ記憶領域１４ｂに記憶したのち、自動で最新の受信メールデータの内容（文、画像（添付されている場合）、リンク）を表示し（ステップＳ３３´）、ステップＳ３４に進むようにし、受信したメールに位置データ付の撮像画像が添付されている場合、自動で撮像画像と地図要求リンクが表示されるようにしても良い。
【００４３】
また、ユーザが地図要求操作をすることで所望撮像画像に対応付けられた位置周辺の地図情報を入手できるようにしたが、図３を図１５の如く変更し、ユーザが所望受信メールを選択することで、所望の撮像画像を含む所望の受信メールの内容を表示させたとき（ステップＳ３２、Ｓ３３）、更に表示中の撮像画像に位置データが付属しているときは自動で当該位置データを着目位置座標とする地図要求を地図情報配信装置宛に発し（ステップＳ７０、Ｓ７１）、返信された地図情報に基づき着目位置マーク付の地図を表示中の受信メールの内容の先頭に割り込ませるか、最後尾に続けて表示させて、地図要求操作の手間を省くようにして良い（ステップＳ７２、Ｓ７３）。受信メールの内容と地図を切り換え操作に従い切り換え表示させても良い。
図１５の場合、操作部で記憶部の撮像画像データ記憶手段中の所望画像の呼び出し操作をしたとき、まず所望撮像画像が表示されたのち（ステップＳ４３、Ｓ４４）、所望撮像画像データが位置データ付の場合、自動的に位置データを用いて地図要求を行って地図情報を入手し、所望撮像画像と着目位置マーク付の地図が表示される（ステップＳ７０〜Ｓ７３。この場合も所望撮像画像に続けて地図を表示しても良く、地図の後に続けて所望撮像画像を表示しても良く、或いは、切り換え操作に従い所望撮像画像と地図を切り換え操作に従い切り換え表示させても良い）。
【００４４】
また、図１５の場合、画像要求用のリンクを選択し、所望画像の画像格納アドレスをパラメータとするＵＲＬ（＝ＡＢＣａ、ＡＢＣｂ、・・またはＡＢＤ（ＡＢＣａ）、ＡＢＤ（ＡＢＣｂ）、・・）にアクセスして画像要求したとき（ステップＳ３７、Ｓ３８）、返信された撮像画像データに基づき撮像画像が表示されたのち（ステップＳ３９、Ｓ４０）、返信された撮像画像データが位置データ付の場合、自動的に位置データを用いて地図要求を行って地図情報を入手し、所望撮像画像と着目位置マーク付の地図が表示されるので地図要求操作の手間が省ける（ステップＳ７０〜Ｓ７３。この場合も所望撮像画像に続けて地図を表示しても良く、地図の後に続けて所望撮像画像を表示しても良く、或いは、切り換え操作に従い所望撮像画像と地図を切り換え操作に従い切り換え表示させても良い）。
更に、図１５においては画像情報配信装置３に対する画像格納アドレスを指定した画像要求操作をし、所望撮像画像データが対応する位置データ付で返信されると、記憶部の一時記憶領域に記憶し、まず所望撮像画像を表示したのち、地図要求を行うが、返信された撮像画像データを対応する位置データ付で記憶部の一時記憶領域に記憶したあと、まず、当該位置データに基づき、位置データを用いて地図要求を行って地図情報を入手し、しかるのち、所望撮像画像と着目位置マーク付の地図を表示するようにしても良い（所望撮像画像に続けて地図を表示しても良く、地図の後に続けて所望撮像画像を表示しても良く、或いは、切り換え操作に従い所望撮像画像と地図を切り換え操作に従い切り換え表示させても良い）。
【００４５】
図１４の場合も、ユーザが地図要求操作をすることで所望撮像画像に対応付けられた位置周辺の地図情報を入手できるようにしたが、所望の撮像画像を含む所望の受信メールの内容を表示させたとき、更に表示中の撮像画像に位置データが付属しているときは自動で当該位置データを着目位置座標とする地図要求を地図情報配信装置宛に発し、返信された地図情報に基づき着目位置マーク付の地図を表示中の受信メールの内容の先頭に割り込ませるか、最後尾に続けて表示させるか、受信メールの内容と地図を切り換え操作に従い切り換え表示するようにしても良い。或いは、メールが受信されると、最新に受信されたメールの内容を表示する前にまず、最新の受信メールが位置データ付の撮像画像を含む場合、位置データを用いて地図要求を行って地図情報を入手し、しかるのち、所望受信メールの内容と着目位置マーク付の地図を表示するようにしても良い（受信メールの内容の後に続けて地図を表示しても良く、地図の後に続けて受信メールの内容を表示しても良く、或いは、切り換え操作に従い受信メールの内容と地図を切り換え操作に従い切り換え表示させても良い）。
【００４６】
また、上記した実施の形態では、携帯情報端末１１　、１２　、・・の全てが撮像、現在位置検出、画像と地図の表示が可能としたが、一部の１または複数の携帯情報端末は撮像、現在位置検出、メール送信または画像情報配信装置への画像転送を可能とし、残りの１または複数の携帯情報端末は、携帯型または据え置き型または車載型の情報端末とし、メール受信、画像情報配信装置と地図情報配信装置へのアクセス、画像と地図の表示が可能としても良い。
また、画像情報配信装置には画像格納アドレス別に撮像画像データを対応する位置データ付で記憶するようにしたが、撮像画像データ以外であっても、位置データの対応付けられた画像データを記憶しておき、情報端末から画像格納アドレスを指定して画像要求が有れば、要求された画像データを対応する位置データとともに返信する場合にも同様に本発明を適用できる。
また、画像を閲覧したいユーザが自身の持つ情報端末の操作部で所望画像格納アドレスを含む画像要求用のＵＲＬを直接入力することにより、画像格納アドレスを指定した画像情報配信装置に対する画像要求操作を行えるようにしても良い。
また、上記した実施の形態では、地図情報配信装置とは別個に画像情報配信装置を装備したが、地図情報配信装置が画像情報配信装置の機能を併せ持つようにしても良い。
【００４７】
【発明の効果】
本発明によれば、撮像と現在位置検出が可能な情報端末で撮像した静止画または動画の画像データを、撮像位置または所望位置の位置データ付で記憶し、位置データ付の画像データをネットワーク上の画像情報配信装置（または地図情報配信装置）に転送できる。他の情報端末から画像情報配信装置（または地図情報配信装置）宛に画像要求を発して所望画像を表示させたり、所望画像に付属の位置データを着目位置座標とした地図要求を地図情報配信装置に発し、返信された地図情報に基づき着目位置マーク付の地図を表示させ、画像に対応付けられた場所を地図上で確認することもできる。
また他の発明によれば、情報端末から画像情報配信装置（または地図情報配信装置）宛に画像要求を発して所望画像を表示させたり、所望画像に付属の位置データを着目位置座標とした地図要求を地図情報配信装置に発し、返信された地図情報に基づき着目位置マーク付の地図を表示させ、画像に対応付けられた場所を地図上で確認することができる。
【図面の簡単な説明】
【図１】本発明の一つの実施の形態に係る地図情報配信システムの構成図である。
【図２】携帯情報端末の処理部による制御処理を示すフローチャートである。
【図３】携帯情報端末の処理部による制御処理を示すフローチャートである。
【図４】画像情報配信装置の画像情報配信処理を示すフローチャートである。
【図５】地図情報配信装置の地図情報配信処理を示すフローチャートである。
【図６】画像情報配信装置の記憶手段の記憶内容の説明図である。
【図７】単位地図のエリアを示す説明図である。
【図８】携帯情報端末の画面表示例を示す説明図である。
【図９】携帯情報端末の画面表示例を示す説明図である。
【図１０】携帯情報端末の画面表示例を示す説明図である。
【図１１】携帯情報端末の画面表示例を示す説明図である。
【図１２】携帯情報端末の画面表示例を示す説明図である。
【図１３】携帯情報端末の画面表示例を示す説明図である。
【図１４】図３の変形例を示すフローチャートである。
【図１５】図３の他の変形例を示すフローチャートである。
【符号の説明】
１１　、１２　、・・　情報端末　　　　２　公衆ネットワーク
３　画像情報配信装置　　　　　　　４　地図情報配信装置
１０　撮像部　　　　　　　　　　　１１　現在位置検出部
１２　表示部　　　　　　　　　　　１３　通信部
１４　記憶部　　　　　　　　　　　１５　操作部
１６　処理部　　　　　　　　　　　３０、４０　記憶手段
【図１】
2004126633.tif 000003
【図２】
2004126633.tif 000004
【図３】
2004126633.tif 000005
【図４】
2004126633.tif 000006
【図５】
2004126633.tif 000007
【図６】
2004126633.tif 000008
【図７】
2004126633.tif 000009
【図８】
2004126633.tif 000010
【図９】
2004126633.tif 000011
【図１０】
2004126633.tif 000012
【図１１】
2004126633.tif 000013
【図１２】
2004126633.tif 000014
【図１３】
2004126633.tif 000015
【図１４】
2004126633.tif 000016
【図１５】
2004126633.tif 000017